(57)【要約】【課題】汚染されたエプロンを、身体にダメージを及ぼさずに素早く脱衣できる医療用エプロンを提供する。【解決手段】医療用エプロン１は、丈方向の上端部に把持部７を含む身頃２と、身頃に連結される右肩紐３及び左肩紐４と、身頃と右肩紐及び左肩紐とを連結する右嵌合部５及び左嵌合部６と、を備える。右嵌合部及び左嵌合部の各々は、互いに嵌合可能な第１部材５ａ、６ａと第２部材５ｂ、６ｂとを含む。右嵌合部の第１部材及び第２部材の一方は右肩紐の一端部に、他方は把持部に配置される。左嵌合部の第１部材及び第２部材の一方は左肩紐の一端部に、他方は把持部に配置される。エプロンは、右肩紐及び左肩紐の他端部が身頃に連結され、右嵌合部及び左嵌合部の各々の第１部材と第２部材とが嵌合されて、着用可能となり、把持部が外側斜め下向きに引っ張られ、右嵌合部及び左嵌合部の少なくとも一方の第１部材と第２部材との嵌合が外されて、脱衣可能となる。【選択図】図１
2020076177.tif 000002
【特許請求の範囲】
【請求項１】
丈方向及び周囲方向を有し、身頃と、前記身頃に連結された右肩紐及び左肩紐と、を備える医療用のエプロンであって、
前記身頃と前記右肩紐及び前記左肩紐とを連結する右嵌合部及び左嵌合部を備え、
前記身頃は、前記丈方向の上側の端部に位置し、前記周囲方向に延びる把持部を含み、
前記把持部は、前記周囲方向の中央に位置する中央領域と、前記中央領域の前記周囲方向の右側及び左側に位置する右側領域及び左側領域と、に区画され、
前記右嵌合部及び前記左嵌合部の各々は、互いに嵌合可能な第１部材と第２部材とを含み、
前記右嵌合部の前記第１部材及び前記第２部材のいずれか一方は、前記右肩紐の一端部の外面に配置され、他方は、前記右側領域の内面に配置され、
前記左嵌合部の前記第１部材及び前記第２部材のいずれか一方は、前記左肩紐の一端部の外面に配置され、他方は、前記左側領域の内面に配置され、
前記右肩紐及び前記左肩紐の他端部は、それぞれ前記身頃における前記周囲方向の右側の端部及び左側の端部のいずれか一方及び他方に連結可能又は連結されており、
前記エプロンは、
前記右肩紐及び前記左肩紐の前記他端部が前記身頃に連結された状態で、前記右嵌合部及び前記左嵌合部の各々における前記第１部材と前記第２部材とが嵌合されて、着用可能で、かつ、
前記中央領域が外側斜め下向きに引っ張られ、前記右嵌合部及び前記左嵌合部の少なくとも一方の前記第１部材と前記第２部材との嵌合が外されて、脱衣可能である、ように構成されている、
医療用のエプロン。
【請求項２】
前記把持部の引張強度は、前記身頃における前記把持部以外の部分の引張強度よりも高い、
請求項１に記載の医療用のエプロン。
【請求項３】
前記右嵌合部の前記第１部材及び前記第２部材のうちの前記右側領域の前記内面に配置されているもの、及び、前記左嵌合部の前記第１部材及び前記第２部材のうちの前記左側領域の前記内面に配置されているものは、前記把持部における前記丈方向の中心よりも高い位置に配置されている、
請求項１又は２に記載の医療用のエプロン。
【請求項４】
前記右嵌合部及び前記左嵌合部の各々は、スナップ、又は、ホック、である、
請求項１乃至３のいずれか一項に記載の医療用のエプロン。
【請求項５】
前記右肩紐の前記他端部は、前記身頃における前記周囲方向の右側の端部に連結可能又は連結されており、
前記左肩紐の前記他端部は、前記身頃における前記周囲方向の左側の端部に連結可能又は連結されており、
一端を前記右肩紐の長さ方向の中央部に、他端を前記左肩紐の長さ方向の中央部にそれぞれ連結された橋渡し紐を更に備える、
請求項１乃至４のいずれか一項に記載の医療用のエプロン。
【請求項６】
前記右肩紐の前記他端部が、前記身頃における前記周囲方向の左側の端部に連結可能又は連結されており、
前記左肩紐の前記他端部が、前記身頃における前記周囲方向の右側の端部に連結可能又は連結されている、
請求項１乃至５のいずれか一項に記載の医療用のエプロン。
【請求項７】
請求項１乃至６のいずれか一項に記載の医療用のエプロンの使用方法であって、
前記中央領域を外側斜め下向きに引っ張り、前記右嵌合部及び前記左嵌合部の少なくとも一方の前記第１部材と前記第２部材との嵌合を外して、前記エプロンを脱衣するステップ、を備える、
医療用のエプロンの使用方法。
【発明の詳細な説明】
【技術分野】
【０００１】
本開示は、医療用のエプロンに関する。
【背景技術】
【０００２】
医療用のエプロンが知られている。そのエプロンは、例えば、肩紐を有し、その肩紐とエプロンの上部とが連結されることで、着用者に着用され、連結が外れることで、着用者から脱衣される。例えば、特許文献１には、医療用防護具セットに含まれる構成の一つとして、エプロンが開示されている。そのエプロンは、頸紐（肩紐）と前掛け部（エプロンの上部）とが面ファスナーで連結されることで、着用者に着用され、面ファスナーでの連結が外れることで、着用者から脱衣される。
特許文献１の記載によれば、医療従事者（着用者）が、前掛け部を掴んで着用者の前方に向かって引っ張ることで、面ファスナーが容易に剥離して、頸紐が外れた状態となり、しかる後に更に前掛け部を引っ張ることにより、エプロンを脱衣することができる、とされている。すなわち、特許文献１の記載によれば、着用者は、感染患者や感染物に触れた後の手を自らの顔に近づけることなくエプロンを脱衣できる、とされている。
【先行技術文献】
【特許文献】
【０００３】
【特許文献１】特開２００３−２６８６１０号公報
【発明の概要】
【発明が解決しようとする課題】
【０００４】
医療業、看護業及び介護業のような医療現場では、医療従事者、看護士及び介護士などが、医療用のエプロンを着用して、患者や被介護者に対して処置を行う場合がある。その場合、患者や被介護者による予期せぬ嘔吐物や排泄物によりエプロンが汚染されることが起こり得る。そのようなエプロンが汚染された状態を放置したまま、処置を継続したり、他の患者や被介護者に対して処置を行ったりすると、エプロンに付着した嘔吐物等から着用者や他の患者や被介護者への直接感染や、直接感染された着用者等から更に他の患者や被介護者への二次感染が生じるおそれがある。そのため、エプロンが汚染されたときには、出来る限り素早く迅速にエプロンを脱衣することが望ましい。一方、エプロンを着用して、患者や被介護者を抱き抱えながら処置を行う場合には、患者や被介護者が誤ってエプロンを引っ張ったときにエプロンが脱げ難いことが望ましい。更に、繰り返し使用するときに肩紐と身頃とを連結する部材が劣化し難いことや、衛生的な問題が生じ難いことが望ましい。
【０００５】
ここで、特許文献１のエプロンは肩紐が首掛け型であり、そのエプロンの前掛け部を掴んで着用者の前方に向かって引っ張ることで、面ファスナーが容易に剥離することができる、とされている。ただし、特許文献１では、エプロンを脱衣する行為は、医療従事者による医療行為が終了した後に行われることが想定されているので、素早く迅速に行われる必要は無い。それゆえ、前掛け部を掴んで着用者の前方に向かって引っ張る速度はそれほど速くない。その結果、面ファスナーが剥離するまで前掛け部が引っ張られている間に、首掛け型の頸紐が頸部に食い込んで頸部に及ぼす力は、比較的小さくなる。
【０００６】
しかし、上記のように素早く迅速にエプロンを脱衣しようとすれば、前掛け部を掴んで着用者の前方に向かって引っ張る速度は非常に速くなる。そのため、首掛け型の頸紐が頸部又はその周囲に衝撃を与えたり、食い込んだりするなど、脱衣する行為が着用者の頸部又はその周囲にダメージを及ぼすおそれがある。
【０００７】
また、特許文献１のエプロンは肩紐を面ファスナーで固定しているため、エプロンを着用して、患者や被介護者を抱き抱えながら処置を行う場合には、患者や被介護者が誤ってエプロンを引っ張ったときに、面ファスナーが比較的容易に外れるため、エプロンが脱げてしまうおそれがある。
【０００８】
本発明の目的は、医療用のエプロンにおいて、エプロンが汚染されたときに、身体にダメージを及ぼすことなく、素早く迅速に脱衣でき、一方、患者等にエプロンを引っ張られたときに、脱げ難くできる医療用のエプロンを提供することにある。
【課題を解決するための手段】
【０００９】
本発明の医療用のエプロンは、丈方向及び周囲方向を有し、身頃と、前記身頃に連結された右肩紐及び左肩紐と、を備える医療用のエプロンであって、前記身頃と前記右肩紐及び前記左肩紐とを連結する右嵌合部及び左嵌合部を備え、前記身頃は、前記丈方向の上側の端部に位置し、前記周囲方向に延びる把持部を含み、前記把持部は、前記周囲方向の中央に位置する中央領域と、前記中央領域の前記周囲方向の右側及び左側に位置する右側領域及び左側領域と、に区画され、前記右嵌合部及び前記左嵌合部の各々は、互いに嵌合可能な第１部材と第２部材とを含み、前記右嵌合部の前記第１部材及び前記第２部材のいずれか一方は、前記右肩紐の一端部の外面に配置され、他方は、前記右側領域の内面に配置され、前記左嵌合部の前記第１部材及び前記第２部材のいずれか一方は、前記左肩紐の一端部の外面に配置され、他方は、前記左側領域の内面に配置され、前記右肩紐及び前記左肩紐の他端部は、それぞれ前記身頃における前記周囲方向の右側の端部及び左側の端部のいずれか一方及び他方に連結可能又は連結されており、前記エプロンは、前記右肩紐及び前記左肩紐の前記他端部が前記身頃に連結された状態で、前記右嵌合部及び前記左嵌合部の各々における前記第１部材と前記第２部材とが嵌合されて、着用可能で、かつ、前記中央領域が外側斜め下向きに引っ張られ、前記右嵌合部及び前記左嵌合部の少なくとも一方の前記第１部材と前記第２部材との嵌合が外されて、脱衣可能である、ように構成されている、医療用のエプロン。
【発明の効果】
【００１０】
本発明によれば、エプロンが汚染されたときに、身体にダメージを及ぼすことなく、素早く迅速に脱衣でき、一方、患者等にエプロンを引っ張られたときに、脱げ難くできる医療用のエプロンを提供できる。
【図面の簡単な説明】
【００１１】
【図１】実施形態に係る医療用のエプロンの構成例を示す正面図である。
【図２】実施形態に係る医療用のエプロンの肩紐及び身頃の構成例を示す正面図である。
【図３】実施形態に係る医療用のエプロンの把持部の構成例を示す正面図である。
【図４】実施形態に係る医療用のエプロンの脱衣の態様を示す模式図である。
【図５】実施形態に係る医療用のエプロンの脱衣の態様を示す模式図である。
【発明を実施するための形態】
【００１２】
具体的には、本開示は以下の態様に関する。
［態様１］丈方向及び周囲方向を有し、身頃と、前記身頃に連結された右肩紐及び左肩紐と、を備える医療用のエプロンであって、前記身頃と前記右肩紐及び前記左肩紐とを連結する右嵌合部及び左嵌合部を備え、前記身頃は、前記丈方向の上側の端部に位置し、前記周囲方向に延びる把持部を含み、前記把持部は、前記周囲方向の中央に位置する中央領域と、前記中央領域の前記周囲方向の右側及び左側に位置する右側領域及び左側領域と、に区画され、前記右嵌合部及び前記左嵌合部の各々は、互いに嵌合可能な第１部材と第２部材とを含み、前記右嵌合部の前記第１部材及び前記第２部材のいずれか一方は、前記右肩紐の一端部の外面に配置され、他方は、前記右側領域の内面に配置され、前記左嵌合部の前記第１部材及び前記第２部材のいずれか一方は、前記左肩紐の一端部の外面に配置され、他方は、前記左側領域の内面に配置され、前記右肩紐及び前記左肩紐の他端部は、それぞれ前記身頃における前記周囲方向の右側の端部及び左側の端部のいずれか一方及び他方に連結可能又は連結されており、前記エプロンは、前記右肩紐及び前記左肩紐の前記他端部が前記身頃に連結された状態で、前記右嵌合部及び前記左嵌合部の各々における前記第１部材と前記第２部材とが嵌合されて、着用可能で、かつ、前記中央領域が外側斜め下向きに引っ張られ、前記右嵌合部及び前記左嵌合部の少なくとも一方の前記第１部材と前記第２部材との嵌合が外されて、脱衣可能である、ように構成されている、医療用のエプロン。
【００１３】
この医療用のエプロンは、右肩紐及び左肩紐の他端部が身頃の周囲方向の両端部に連結された状態で、右嵌合部及び左嵌合部の各々の第１部材と第２部材とが嵌合されて、着用者に着用される。そして、その着用者が処置などを行っている最中に、エプロンが汚染されたときなどには、把持部の中央領域を、外側斜め下向きに引っ張ることにより、簡易に、頸部又はその周囲への負担なく、右嵌合部及び左嵌合部の少なくとも一方の第１部材と第２部材との嵌合を外すことができる。すなわち、把持部の中央領域を外側斜め下向きに引っ張ることにより、エプロンの上部から右肩紐及び左肩紐の少なくとも一方を外すことができる。また、患者や被介護者がエプロンを引っ張ったとしても、右嵌合部及び左嵌合部が第１部材と第２部材とが嵌合して形成されているので、右嵌合部及び左嵌合部を外れ難くすることができる。それにより、肩紐が着脱可能なエプロンにおいて、身体にダメージを及ぼすことなく、素早く迅速に脱衣でき、患者等にエプロンを引っ張られときに、エプロンを脱げ難くすることができる。
【００１４】
［態様２］前記把持部の引張強度は、前記身頃における前記把持部以外の部分の引張強度よりも高い、態様１に記載の医療用のエプロン。
この医療用のエプロンは、把持部の引張強度が相対的に高くなるように形成されている。そのため、着用者が把持部の中央領域を外側斜め下向きに引っ張って第１部材と第２部材との嵌合を外すとき、引っ張る力で把持部が破損することを抑制できる。それにより、引っ張る力で把持部が破損することで、エプロンを脱衣できなくなる事態を抑制できる。したがって、より確実かつ安定的に嵌合を外すことができ、よって、より確実かつ安定的に素早く迅速に脱衣できる。
【００１５】
［態様３］前記右嵌合部の前記第１部材及び前記第２部材のうちの前記右側領域の前記内面に配置されているもの、及び、前記左嵌合部の前記第１部材及び前記第２部材のうちの前記左側領域の前記内面に配置されているものは、前記把持部における前記丈方向の中心よりも高い位置に配置されている、態様１又は２に記載の医療用のエプロン。
この医療用のエプロンでは、右側領域及び左側領域の第１部材又は第２部材が、把持部における丈方向の中心よりも高い位置に配置されている。そのため、把持部の中央領域を外側斜め下向きに引っ張って右嵌合部及び左嵌合部の第１部材と第２部材との嵌合を外すとき、引っ張る力を右嵌合部及び左嵌合部へより伝達し易くすることができる。それにより、より簡易に、より頸部又はその周囲への負担なく嵌合を外すことができ、かつ、より少ない動作で、安定的に嵌合を外すことができる。
【００１６】
［態様４］前記右嵌合部及び前記左嵌合部の各々は、スナップ、又は、ホック、である、態様１乃至３のいずれか一項に記載の医療用のエプロン。
この医療用のエプロンでは、右嵌合部及び左嵌合部の各々は、スナップ、又は、ホック、である。そのため、把持部の中央領域を外側斜め下向きに引っ張って右嵌合部及び左嵌合部の第１部材と第２部材との嵌合を外すとき、右嵌合部及び左嵌合部の嵌合をより外し易くすることができる。それにより、より簡易に、より頸部への負担なく嵌合を外すことができる。更に、右嵌合部及び左嵌合部をスナップ又はホックで構成することで、患者や被介護者がエプロンを引っ張ったとしても、右嵌合部及び左嵌合部をより外れ難くすることができる。更に、スナップ又はホックは、洗濯等で劣化し難く、ごみ等が付着し難いので、医療現場で継続的に使用する際に、繰り返し使用が可能であり、衛生上の問題も生じ難くすることができる。
【００１７】
［態様５］前記右肩紐の前記他端部は、前記身頃における前記周囲方向の右側の端部に連結可能又は連結されており、前記左肩紐の前記他端部は、前記身頃における前記周囲方向の左側の端部に連結可能又は連結されており、一端を前記右肩紐の長さ方向の中央部に、他端を前記左肩紐の長さ方向の中央部にそれぞれ連結された橋渡し紐を更に備える、態様１乃至４のいずれか一項に記載の医療用のエプロン。
この医療用のエプロンでは、右肩紐及び左肩紐が橋渡し紐で連結（又は連結可能と）された、いわゆるＨ型の肩紐が用いられている。したがって、肩紐の頸部又はその周囲への締め付けを極めて小さくすることができる。そのため、着用者が把持部の中央領域を外側斜め下向きに引っ張って右嵌合部及び左嵌合部の第１部材と第２部材との嵌合を外すとき、より簡易に、より頸部又はその周囲への負担なく嵌合を外すことができるだけでなく、より安定的に嵌合を外すことができる。
【００１８】
［態様６］前記右肩紐の前記他端部が、前記身頃における前記周囲方向の左側の端部に連結可能又は連結されており、前記左肩紐の前記他端部が、前記身頃における前記周囲方向の右側の端部に連結可能又は連結されている、態様１乃至５のいずれか一項に記載の医療用のエプロン。
この医療用のエプロンでは、右肩紐及び左肩紐の各々の他端部が、それぞれ身頃の周囲方向の反対側に連結（又は連結可能と）された、いわゆるＸ型の肩紐が用いられている。したがって、肩紐の頸部又はその周囲への締め付けを極めて小さくすることができる。そのため、着用者が把持部の中央領域を外側斜め下向きに引っ張って右嵌合部及び左嵌合部の第１部材と第２部材との嵌合を外すとき、より簡易に、頸部への負担なく嵌合を外すことができるだけでなく、より安定的に嵌合を外すことができる。
【００１９】
［態様７］態様１乃至６のいずれか一項に記載の医療用のエプロンの使用方法であって、前記中央領域を外側斜め下向きに引っ張り、前記右嵌合部及び前記左嵌合部の少なくとも一方の前記第１部材と前記第２部材との嵌合を外して、前記エプロンを脱衣するステップ、を備える、医療用のエプロンの使用方法。
この医療用のエプロンの使用方法では、エプロンが汚染されたときなどに、把持部の中央領域を、外側斜め下向きに引っ張ることにより、簡易に、頸部への負担なく、右嵌合部及び左嵌合部の第１部材と第２部材との嵌合を外すことができる。すなわち、把持部の中央領域を外側斜め下向きに引っ張ることにより、エプロンの上部から右肩紐及び左肩紐の少なくとも一方を外すことができる。それにより、着用者の身体に悪影響を及ぼすことなく、素早く迅速にエプロンを脱衣することができる。
【００２０】
以下、実施形態に係る医療用のエプロンについて看護業従事者、すなわち看護師用のエプロンを例に説明する。ただし本発明の医療用のエプロンの種類及び用途はその例に限定されるものではなく、本発明の主題の範囲を逸脱しない限り、他の医療関係の仕事（例示：医療業、看護業及び介護業）を行う際に使用されるエプロンに対しても適用可能である。
【００２１】
図１〜図３は実施形態に係る医療用のエプロン（以下、単に「エプロン」ともいう。）１の構成例を示す図である。ここで、図１はエプロン１の構成例を示す正面図であり、図２はエプロン１の肩紐及び身頃の構成例を示す正面図であり、図３はエプロン１の把持部の構成例を示す正面図である。ただし、本実施形態のエプロン１は、互いに直交する丈方向Ｌ及び周囲方向Ｈを有する。丈方向Ｌは、エプロン１を着用者が着用したときの、着用者の丈の方向を意味し、鉛直方向と同義である。周囲方向Ｈは、丈方向Ｌと直交する方向であり、水平方向と同義であるが、エプロン１が身体に装着された場合には身体を周回する方向を含む。エプロン１では、着用者の頭部に向かう向き及び側をそれぞれ丈方向Ｌの上向き及び上側とし、着用者の足部に向かう向き及び側をそれぞれ丈方向Ｌの下向き及び下側とする。また、着用者から見て右へ向かう向き及び側をそれぞれ周囲方向Ｈの右向き及び右側とし、着用者から見て左へ向かう向き及び側をそれぞれ周囲方向Ｈの左向き及び左側とする。また、エプロン１では、着用者の身体に近い側を内側とし、着用者の身体に遠い側を外側とする。また、前面及び腹（腹側）、並びに、背面及び背（背側）は、着用者を基準とする。
【００２２】
エプロン１は、着用者の身体を覆う身頃２と、身頃２に連結され、身頃２を着用者の身体に取り付ける右肩紐３及び左肩紐４と、を備えている。
【００２３】
本実施形態において、身頃２は、前掛け部２ｂと、前掛け部２ｂの丈方向Ｌの上側に連接した胸当て部２ａと、に区画されており、したがって前掛け部２ｂと、胸当て部２ａと、を含んでいる。前掛け部２ｂは主に前側の腰回りを覆う部分であり、胸当て部２ａは前側の胸部を覆う部分である。前掛け部２ｂ及び胸当て部２ａの形状は特に制限はなく、一般的なエプロンの形状を用いることができる。
【００２４】
本実施形態では、前掛け部２ｂは、周囲方向Ｈの左側及び右側の端部における丈方向Ｌの上部に位置する第１係止部１１ａ及び第２係止部１１ｂをそれぞれ含んでいる。前掛け部２ｂを着用者の身体を包むように筒状にして、前掛け部２ｂの周囲方向Ｈの両端部を互いに向かい合わせて、第１係止部１１ａと第２係止部１１ｂとを係止することで、前掛け部２ｂを着用者の腰回りに装着できる。第１係止部１１ａ及び第２係止部１１ｂとしては、互いに着脱可能であれば特に制限はない。それら各係止部としては、例えば、スナップ（例示：スナップボタン、スナップリング、アメリカンスナップ）のオス及びメス、面ファスナーのフック部（例示：表面に鉤状、きのこ状、錨状の複数の突起を有する部材）及びループ部（例示：表面に複数のループを有する部材）、ホック（例示：バネホック、ジャンパーホック）のオス及びメス、トグルボタン、バックル、ボタン及びボタンホールの組み合わせ等が挙げられる。これらの材料には、公知の材料を用いることができる。
【００２５】
本実施形態では、前掛け部２ｂは、更に、周囲方向Ｈの左側及び右側の端部における丈方向Ｌの上部に位置する第１身頃側連結部１４ｂ及び第２身頃側連結部１３ｂをそれぞれ含んでいる。ただし、第１身頃側連結部１４ｂ及び第２身頃側連結部１３ｂは、前掛け部２ｂにおいて第１係止部１１ａ及び第２係止部１１ｂよりも周囲方向Ｈの内側に位置している。第１身頃側連結部１４ｂ及び第２身頃側連結部１３ｂは、それぞれ前掛け部２ｂと左肩紐４及び右肩紐３とを連結するために用いられる。なお、前掛け部２ｂは、更に、ポケット９などの物品収容用の公知の構成を有していてもよい。
【００２６】
本実施形態では、胸当て部２ａは、丈方向Ｌの上側の端部に位置し、周囲方向Ｈに延びる把持部７を含んでいる。把持部７は、内側の面（身体側の面）、すなわち内面７Ｖと、外側の面（身体側とは反対側の面）、すなわち外面７Ｕと、を有している。把持部７は、周囲方向Ｈの中央に位置する中央領域７Ｃと、中央領域７Ｃの周囲方向Ｈの左側及び右側に位置する左側領域７Ｌ及び右側領域７Ｒと、に区画されており、したがって、中央領域７Ｃと、左側領域７Ｌと、右側領域７Ｒと、を含んでいる。
【００２７】
エプロン１は、身頃２と右肩紐３及び左肩紐４とを連結する右嵌合部５及び左嵌合部６を備えている。右嵌合部５及び左嵌合部６の各々は、互いに嵌合可能な第１部材５ａ、６ａと第２部材５ｂ、６ｂとを含んでいる。右嵌合部５の第１部材５ａ及び第２部材５ｂのいずれか一方は、右肩紐３の一端部３Ｅ１の外面３Ｕに配置され、他方は、右側領域７Ｒの内面７Ｖに配置されている。左嵌合部６の第１部材６ａ及び第２部材６ｂのいずれか一方は、左肩紐４の一端部４Ｅ１の外面４Ｕに配置され、他方は、左側領域７Ｌの内面７Ｖに配置されている。具体的には、例えば以下に示すとおりである。
【００２８】
本実施形態では、左側領域７Ｌの内面７Ｖに、左嵌合部６の第２部材６ｂが配置されている。左嵌合部６の第２部材６ｂは、胸当て部２ａと左肩紐４とを連結するために用いられる。一方、右側領域７Ｒの内面７Ｖに、右嵌合部５の第２部材５ｂが配置されている。右嵌合部５の第２部材５ｂは、胸当て部２ａと右肩紐３とを連結するために用いられる。
【００２９】
本実施形態では、左肩紐４は、内側の面（身体側の面）、すなわち内面（図示されず）と、外側の面（身体側とは反対側の面）、すなわち外面４Ｕと、を有している。左肩紐４は、一方の端部４Ｅ１の外面４Ｕに左嵌合部６の第１部材６ａが配置されている。左嵌合部６の第１部材６ａは、左肩紐４と把持部７の左側領域７Ｌとを連結するために用いられる。一方、右肩紐３は、内側の面（身体側の面）、すなわち内面（図示されず）と、外側の面（身体側とは反対側の面）、すなわち外面３Ｕと、を有している。右肩紐３は、一方の端部３Ｅ１の外面３Ｕに右嵌合部５の第１部材５ａが配置されている。右嵌合部５の第１部材５ａは、右肩紐３と把持部７の右側領域７Ｒとを連結するために用いられる。
【００３０】
左嵌合部６の第１部材６ａ及び第２部材６ｂ並びに右嵌合部５の第１部材５ａ及び第２部材５ｂとしては、互いに素早く迅速に着脱可能（後述）であれば特に制限はない。それら各嵌合用の部材としては、例えば、スナップ（例示：スナップボタン、スナップリング、アメリカンスナップ）のオス及びメス、ホック（例示：バネホック、ジャンパーホック）のオス及びメス、及びこれらの組み合わせ等が挙げられる。これらの材料には、公知の材料を用いることができる。
【００３１】
また、右肩紐３及び左肩紐４の他端部３Ｅ２、４Ｅ２は、それぞれ身頃２における周囲方向Ｈの右側の端部及び左側の端部のいずれか一方及び他方に連結可能又は連結されている。具体的には、例えば以下に示すとおりである。
【００３２】
本実施形態では、左肩紐４は、他方の端部４Ｅ２に第１肩紐側連結部１４ａを備えている。第１肩紐側連結部１４ａと第１身頃側連結部１４ｂとは連結可能であり、左肩紐４と前掛け部２ｂとを連結するために用いられる。一方、右肩紐３は、他方の端部３Ｅ２に第２肩紐側連結部１３ａを備えている。第２肩紐側連結部１３ａと第２身頃側連結部１３ｂとは連結可能であり、右肩紐３と前掛け部２ｂとを連結するために用いられる。エプロン１は、一端を右肩紐３の長さ方向の中央部に、他端を左肩紐４の長さ方向の中央部にそれぞれ連結された橋渡し紐８を更に備えている。エプロン１の着用者を後方から見ると、右肩紐３、左肩紐４及び橋渡し紐８により疑似的にＨ文字が形成される（Ｈ型エプロン）。
【００３３】
なお、別の実施形態では、エプロン１が橋渡し紐８を備えず、左肩紐４の第１肩紐側連結部１４ａと第２身頃側連結部１３ｂとが互いに連結され、右肩紐３の第２肩紐側連結部１３ａと第１身頃側連結部１４ｂとが互いに連結されてもよい。エプロン１の着用者を後方から見ると、右肩紐３と左肩紐４とが交差して、疑似的にＸ文字が形成される（Ｘ型エプロン）。
【００３４】
第１肩紐側連結部１４ａ及び第１身頃側連結部１４ｂ並びに第２肩紐側連結部１３ａ及び第２身頃側連結部１３ｂとしては、互いに着脱可能であれば特に制限はない。それら各連結部としては、例えば、スナップ（例示：スナップボタン、スナップリング、アメリカンスナップ）のオス及びメス、面ファスナーのフック部（例示：表面に鉤状、きのこ状、錨状の複数の突起を有する部材）及びループ部（例示：表面に複数のループを有する部材）、ホック（例示：バネホック、ジャンパーホック）のオス及びメス、トグルボタン、バックル、ボタン及びボタンホールの組み合わせ等が挙げられる。これらの材料には、公知の材料を用いることができる。
【００３５】
ただし、本実施形態では、図３に示すように、右嵌合部５の第１部材５ａ及び第２部材５ｂのうちの右側領域７Ｒの内面７Ｖに配置されているもの、及び、左嵌合部６の第１部材６ａ及び第２部材６ｂのうちの左側領域７Ｌの内面７Ｖに配置されているものは、把持部７における丈方向Ｌの中心よりも高い位置に配置されている。例えば、具体的には、把持部７の丈方向Ｌの中心を通り、周囲方向Ｈに平行に延びる仮想線Ｃで、把持部７の領域を丈方向Ｌに二等分したとき、把持部７の内面７Ｖに配置された右嵌合部５の第２部材５ｂ及び左嵌合部６の第２部材６ｂは丈方向Ｌの上側の半分の領域に位置している。
【００３６】
本実施形態において、身頃２、右肩紐３及び左肩紐４に用いられる材料としては、特に制限はなく、公知の材料を用いることができる。
【００３７】
次にエプロン１の使用方法における着用方法について図１〜図３を参照して説明する。
【００３８】
本実施形態では、例えば看護師によりエプロン１が着用されるときには、まず、右肩紐３及び左肩紐４の他端部３Ｅ２、４Ｅ２が身頃２の前掛け部２ｂに連結される。具体的には例えば、左肩紐４の第１肩紐側連結部１４ａと、前掛け部２ｂの第１身頃側連結部１４ｂとが互いに連結されて、左肩紐４と前掛け部２ｂとが互いに連結される。それと共に、右肩紐３の第２肩紐側連結部１３ａと、前掛け部２ｂの第２身頃側連結部１３ｂとが互いに連結されて、右肩紐３と前掛け部２ｂとが連結される。第１係止部１１ａと第２係止部１１ｂとを連結してもよい。
【００３９】
そして、その状態で、右嵌合部５及び左嵌合部６の各々における第１部材５ａ、６ａと第２部材５ｂ、６ｂとが互いに嵌合されて、着用（可能と）される。具体的には例えば、エプロン１が身に纏われた状態で、左肩紐４の左嵌合部６の第１部材６ａと、把持部７の左側領域７Ｌにおける左嵌合部６の第２部材６ｂとが互いに嵌合されて、左肩紐４と胸当て部２ａ（把持部７）とが連結される。それと共に、右肩紐３の右嵌合部５の第１部材５ａと、把持部７の右側領域７Ｒにおける右嵌合部５の第２部材５ｂとが互いに嵌合されて、右肩紐３と胸当て部２ａ（把持部７）とが互いに連結される。このようにして、着用者（看護師）によりエプロン１が着用される。
【００４０】
次にエプロン１の使用方法における緊急時の脱衣方法について図４〜図５を参照して説明する。図４〜図５は実施形態に係るエプロンの脱衣の態様を示す模式図である。ここでは、着用者Ｐ（看護師）がエプロン１を着用して患者等に対して処置を行っているとき、患者等による予期せぬ嘔吐物等によりエプロン１が汚染された場合での緊急時での脱衣方法について説明する。なお、通常時での脱衣方法は、特に制限はなく、例えば上記着用方法の逆の方法が挙げられる。
【００４１】
本実施形態では、着用者Ｐ（例示：看護師）によりエプロン１が緊急に脱衣されるときには、把持部７の中央領域７Ｃが外側斜め下向きに引っ張られ、右嵌合部５及び左嵌合部６の少なくとも一方の第１部材５ａ、６ａと第２部材５ｂ、６ｂとの嵌合が外されて、脱衣（可能と）される。具体的には例えば、把持部７の中央領域７Ｃにおける丈方向Ｌの上部が着用者の右手ＰＡ（左手でも可）で把持される。次いで、その中央領域７Ｃの丈方向Ｌの上部が、右手ＰＡで外側斜め下向きに強く瞬間的に素早く引っ張られる（矢印Ｋで表示）。その結果、右嵌合部５及び左嵌合部６の第１部材５ａ、６ａと第２部材５ｂ、６ｂとの嵌合が外れると共に、右肩紐３及び左肩紐４が背中から丈方向Ｌの下向きに下がって、エプロン１が脱衣される。
【００４２】
ただし、把持部７の中央領域７Ｃを右手ＰＡ（左手でも可）で把持するとき、前掛け部２ｂ又は胸当て部２ａ上の嘔吐物等を床やベッド等に落とさないように、前掛け部２ｂの丈方向Ｌの下端部の裾を捲り上げて、把持部７の中央領域７Ｃと共に右手ＰＡ（左手でも可）で把持してもよい。その結果、身頃２の丈方向Ｌの両端部である、胸当て部２ａの把持部７と、前掛け部２ｂの下端部の裾と、が持ち上げられるので、身頃２の丈方向Ｌの中央部分に嘔吐物等を保持できる。それにより、嘔吐物等を床等に落下させることなく、エプロン１を脱衣することができる。
【００４３】
ただし、外側斜め下向きに引っ張る方向としては、鉛直下向きの方向に対して４５°以下の角度を成す方向が挙げられ、３０°以下の角度を成す方向が好ましく、２０°以下の角度を成す方向がより好ましい。更に、着用者の胸部及び腹部の前面に沿って鉛直下向き、すなわち概ね０°が更に好ましい。鉛直下向きの方向に対して４５°以下の角度にすることで、右嵌合部５及び左嵌合部６の第１部材５ａ、６ａと第２部材５ｂ、６ｂとの嵌合を極めて容易に外すことができると共に、前方に患者や介護者などが存在する場合、それらの人に、素早く動いた右手ＰＡが衝突したり、汚染されたエプロン１が触れたりすることを抑制できる。
【００４４】
本実施形態のエプロン１は、右肩紐３及び左肩紐４の他端部３Ｅ２、４Ｅ２が身頃２の周囲方向Ｈの両端部に連結された状態（Ｈ型又はＸ型）で、右嵌合部５及び左嵌合部６の各々の第１部材５ａ、６ａと第２部材５ｂ、６ｂとが嵌合されて、着用者に着用される。そして、着用者が処置などを行っている最中に、エプロン１が汚染されたときなどに、把持部７の中央領域７Ｃを、外側斜め下向きに引っ張ることで、簡易に、頸部又はその周囲への負担なく、右嵌合部５及び左嵌合部６の少なくとも一方の第１部材５ａ、６ａと第２部材５ｂ、６ｂとの嵌合を外すことができる。すなわち、把持部７の中央領域７Ｃを外側斜め下向きに引っ張ることにより、エプロン１の上部から右肩紐３及び左肩紐４の少なくとも一方を外すことができる。
また、患者や被介護者がエプロンを引っ張ったとしても、右嵌合部５及び左嵌合部６が、第１部材５ａ、６ａと第２部材５ｂ、６ｂとが嵌合して形成されているので、右嵌合部５及び左嵌合部６を外れ難くすることができる。
それにより、エプロン１が汚染されたときに、着用者の身体にダメージを及ぼすことなく、素早く迅速にエプロン１を脱衣できるとともに、患者等にエプロン１を引っ張られたときに、エプロン１を脱げ難くすることができる。
【００４５】
本実施形態の好ましい態様では、把持部７の引張強度は、身頃２における把持部７以外の部分の引張強度よりも高い。すなわち、エプロン１では、把持部７の引張強度が相対的に高くなるように形成されている。そのため、着用者が把持部７の中央領域７Ｃを外側斜め下向きに引っ張って第１部材５ａ、６ａと第２部材５ｂ、６ｂとの嵌合を外すとき、引っ張る力で把持部７が破損したり大きく変形したりすることを抑制できる。それにより、引っ張る力で把持部７が破損したり、大きく変形したりすることで、エプロン１を脱衣できなくなる事態を抑制できる。したがって、より確実かつ安定的に嵌合を外すことができ、よって、より確実かつ安定的に素早く迅速に脱衣できる。ただし、把持部７及び身頃２における把持部７以外の部分の引張強度の測定方法は以下のとおりである。
【００４６】
＜布帛の引張強度の測定方法＞
把持部７及び身頃２における把持部７以外の部分に関する引張強度の測定方法は、ＪＩＳ  Ｌ１０９６  引張強さＡ法（ストリップ法）又はＢ法（グラブ法）に準拠した方法で測定できる。
【００４７】
本実施形態の好ましい態様では、右嵌合部５及び左嵌合部６の第１部材５ａ、６ａ又は第２部材５ｂ、６ｂが把持部７における丈方向Ｌの中心（周囲方向Ｈに延びる仮想線Ｃ）よりも高い位置に配置されている。そのため、把持部７の中央領域７Ｃを外側斜め下向きに引っ張って右嵌合部５及び左嵌合部６の第１部材５ａ、６ａと第２部材５ｂ、６ｂとの嵌合を外すとき、引っ張る力を右嵌合部５及び左嵌合部６へより伝達し易くすることができる。それにより、より簡易に、より頸部又はその周囲への負担なく嵌合を外すことができ、かつ、より少ない動作で、安定的に嵌合を外すことができる。
【００４８】
本実施形態の好ましい態様では、右嵌合部５及び左嵌合部６の各々は、スナップ、又は、ホック、である。そのため、把持部７の中央領域７Ｃを外側斜め下向きに引っ張って右嵌合部５及び左嵌合部６の第１部材５ａ、６ａと第２部材５ｂ、６ｂとの嵌合を外すとき、右嵌合部５及び左嵌合部６の嵌合をより外し易くすることができる。それにより、より簡易に、より頸部への負担なく嵌合を外すことができる。更に、右嵌合部５及び左嵌合部６をスナップ又はホックで構成することで、患者や被介護者がエプロン１を引っ張ったとしても、右嵌合部５及び左嵌合部６をより外れ難くすることができる。更に、スナップ又はホックは、洗濯等で劣化し難く、ごみ等が付着し難いので、医療現場で継続的に使用する際に、繰り返し使用が可能であり、衛生上の問題も生じ難くすることができる。
【００４９】
本実施形態の好ましい態様では、右肩紐３及び左肩紐４が橋渡し紐８で連結（又は連結可能と）された、いわゆるＨ型の肩紐が用いられている。したがって、肩紐の頸部又はその周囲への締め付けを極めて小さくすることができる。そのため、着用者が把持部７の中央領域７Ｃを外側斜め下向きに引っ張って右嵌合部５及び左嵌合部６の第１部材５ａ、６ａと第２部材５ｂ、６ｂとの嵌合を外すとき、より簡易に、より頸部又はその周囲への負担なく嵌合を外すことができるだけでなく、より安定的に嵌合を外すことができる。
【００５０】
本実施形態の好ましい態様では、右肩紐３及び左肩紐４の各々の他端部３Ｅ２、４Ｅ２が、それぞれ身頃２の周囲方向Ｈの反対側に連結（又は連結可能と）された、いわゆるＸ型の肩紐が用いられている。したがって、肩紐の頸部又はその周囲への締め付けを極めて小さくすることができる。そのため、着用者が把持部７の中央領域７Ｃを外側斜め下向きに引っ張って右嵌合部５及び左嵌合部６の第１部材５ａ、６ａと第２部材５ｂ、６ｂとの嵌合を外すとき、より簡易に、頸部への負担なく嵌合を外すことができるだけでなく、より安定的に嵌合を外すことができる。
【００５１】
本実施形態の好ましい態様では、エプロンの使用方法（脱衣方法）において、エプロンが汚染されたときなどに、把持部７の中央領域７Ｃを、外側斜め下向きに引っ張ることにより、簡易に、頸部への負担なく、右嵌合部５及び左嵌合部６の第１部材５ａ、６ａと第２部材５ｂ、６ｂとの嵌合を外すことができる。すなわち、把持部７の中央領域７Ｃを外側斜め下向きに引っ張ることにより、エプロン１の上部から右肩紐３及び左肩紐４の少なくとも一方を外すことができる。それにより、着用者の身体に悪影響を及ぼすことなく、素早く迅速にエプロン１を脱衣することができる。
【００５２】
本発明のエプロン１は、上述した各実施形態に制限されることなく、本発明の目的、趣旨を逸脱しない範囲内において、適宜組合せや変更等が可能である。
【符号の説明】
【００５３】
１    エプロン
２    身頃
３    右肩紐
４    左肩紐
５    右嵌合部
６    左嵌合部
７    把持部
５ａ、６ａ    第１部材
５ｂ、６ｂ    第２部材
【図１】
2020076177.tif 000003
【図２】
2020076177.tif 000004
【図３】
2020076177.tif 000005
【図４】
2020076177.tif 000006
【図５】
2020076177.tif 000007
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
丈方向及び周囲方向を有し、身頃と、前記身頃に連結された右肩紐及び左肩紐と、を備える医療用のエプロンであって、
前記身頃と前記右肩紐及び前記左肩紐とを連結する右嵌合部及び左嵌合部を備え、
前記身頃は、前記丈方向の上側の端部に位置し、前記周囲方向に延びる把持部を含み、
前記把持部は、前記周囲方向の中央に位置する中央領域と、前記中央領域の前記周囲方向の右側及び左側に位置する右側領域及び左側領域と、に区画され、
前記右嵌合部及び前記左嵌合部の各々は、互いに嵌合可能な第１部材と第２部材とを含み、
前記右嵌合部の前記第１部材及び前記第２部材のいずれか一方は、前記右肩紐の一端部の外面に配置され、他方は、前記右側領域の内面に配置され、
前記左嵌合部の前記第１部材及び前記第２部材のいずれか一方は、前記左肩紐の一端部の外面に配置され、他方は、前記左側領域の内面に配置され、
前記右肩紐及び前記左肩紐の他端部は、それぞれ前記身頃における前記周囲方向の右側の端部及び左側の端部のいずれか一方及び他方に連結可能又は連結されており、
前記エプロンは、
前記右肩紐及び前記左肩紐の前記他端部が前記身頃に連結された状態で、前記右嵌合部及び前記左嵌合部の各々における前記第１部材と前記第２部材とが嵌合されて、着用可能で、かつ、
前記中央領域が外側斜め下向きに引っ張られ、前記右嵌合部及び前記左嵌合部の少なくとも一方の前記第１部材と前記第２部材との嵌合が外されて、脱衣可能である、ように構成されていて、
前記把持部の引張強度は、前記身頃における前記把持部以外の部分の引張強度よりも高く、
前記右嵌合部の前記第１部材及び前記第２部材のうちの前記右側領域の前記内面に配置されているもの、並びに、前記左嵌合部の前記第１部材及び前記第２部材のうちの前記左側領域の前記内面に配置されているものは、前記把持部における前記丈方向の中心よりも高い位置に配置されている、
医療用のエプロン。
【請求項２】
前記右嵌合部及び前記左嵌合部の各々は、スナップ、又は、ホック、である、
請求項１に記載の医療用のエプロン。
【請求項３】
前記右肩紐の前記他端部は、前記身頃における前記周囲方向の右側の端部に連結可能又は連結されており、
前記左肩紐の前記他端部は、前記身頃における前記周囲方向の左側の端部に連結可能又は連結されており、
一端を前記右肩紐の長さ方向の中央部に、他端を前記左肩紐の長さ方向の中央部にそれぞれ連結された橋渡し紐を更に備える、
請求項１又は２に記載の医療用のエプロン。
【請求項４】
前記右肩紐の前記他端部が、前記身頃における前記周囲方向の左側の端部に連結可能又は連結されており、
前記左肩紐の前記他端部が、前記身頃における前記周囲方向の右側の端部に連結可能又は連結されている、
請求項１乃至３のいずれか一項に記載の医療用のエプロン。
【請求項５】
請求項１乃至４のいずれか一項に記載の医療用のエプロンの使用方法であって、
前記中央領域を外側斜め下向きに引っ張り、前記右嵌合部及び前記左嵌合部の少なくとも一方の前記第１部材と前記第２部材との嵌合を外して、前記エプロンを脱衣するステップ、を備える、
医療用のエプロンの使用方法。